(57)【特許請求の範囲】
【請求項１】
エレベータ乗りかごに連通管を介して給排気用ブロワが設けられ、昇降行程に応じて前記給排気用ブロワを回転制御し、当該乗りかご内の気圧を所要の気圧に制御する気圧制御装置と、この気圧制御装置に有線または無線で接続され、相互に信号の授受を行う前記乗りかごを昇降制御するエレベータ主制御装置とが設けられ、
前記気圧制御装置は、前記エレベータ主制御装置との間の授受信号から当該気圧制御装置を除く他の部分の故障と判断した場合、前記給排気用ブロワの回転を停止させる手段と、この給排気用ブロワの回転停止後、前記乗りかごの室内気圧が室外気圧にほぼ等しくなったとき、前記給排気用ブロワを回転制御し当該乗りかごを換気制御する手段とを設けたことを特徴とするエレベータ装置。
【発明の詳細な説明】
【技術分野】
【０００１】
本発明は、昇降距離の長い超・超々高層ビル（以下、高層ビルと総称する）に設置されるエレベータ装置に関する。
【背景技術】
【０００２】
従来、昇降距離の長い高層ビルのエレベータ装置は、乗りかご昇降時の乗客の耳詰まりなどの不快感を緩和するために、乗りかごの昇降行程に応じて乗りかご内の気圧を変化させる制御装置が設けられている。
【０００３】
図８は乗りかごを含む従来の１つの制御装置の構成を示す図である。  
この制御装置は、乗りかご５１の外側上部に設置される給気用ブロワ５２ａおよび排気用ブロワ５２ｂと、乗りかご５１の昇降行程に応じて当該乗りかご５１内の気圧を変化させる制御指令を出力するマイクロコンピュータ５３と、このコンピュータ５３から出力される制御指令に応じた回転数によって給気用ブロワ５２ａ、排気用ブロワ５２ｂを回転制御するインバータ５４ａおよび５４ｂとにより構成されている。５５ａは給気用ブロワ５２ａと乗りかご５１内とを連通する加圧用連通管、５５ｂは排気用ブロワ５２ｂと乗りかご５１内とを連通する減圧用連通管である。５６はかごドアである。
【０００４】
以上のような構成の制御装置では、コンピュータ５３から制御指令をインバータ５４ａおよび５４ｂに送出し、各インバータ５４ａおよび５４ｂはその制御指令に応じた回転数に変換し、給気用ブロワ５２ａ、排気用ブロワ５２ｂを回転制御する。これによって、給気用ブロワ５２ａは、乗りかご外部の空気を取り込んで乗りかご５１内に供給し加圧する方向に変化させ、また排気用ブロワ５２ｂは、乗りかご内部の空気を取り込んで乗りかご外部に排気し減圧する方向に変化させることにより、出発階床の気圧から到着予定階床の気圧までほぼ一定の割合で変化するように乗りかご５１内の気圧を制御する。
【０００５】
また、制御装置の他の従来例としては、乗りかごの５１の外側底部に乗りかご５１の気密度を調整する開閉電磁弁５７を設け、コンピュータ５３は、給気用ブロワ５２ａおよび排気用ブロワ５２ｂに加え、開閉電磁弁５７の制御も実行し、乗りかご５１内外の気圧差を制御する構成である（特許文献１）。
【０００６】
図９は従来のもう１つの制御装置の構成を示す図である。  
この制御装置は、乗りかご５１内の空気の給排気を行うポンプ６１と、流量調整弁６２と、空気フィルタ６３と、予め定められる気圧調整パターンを記憶するメモリ６４と、乗りかご内に設置される気圧計６５と、この気圧計６５により測定されＡ／Ｄ変換器６６でデジタル変換されるかご内気圧とメモリ６４の気圧調整パターンとを比較し、かご内気圧が気圧調整パターンに近づくように流量調整弁６２の開度およびポンプ６１を制御する入出力回路６７および制御回路６８等のＣＰＵからなる処理制御部６９とりより構成されている。７０は身体異常釦である（特許文献２）。
【特許文献１】特開平１０−１８２０３９公報
【特許文献２】特開平１１−０７１０７７公報
【発明の開示】
【発明が解決しようとする課題】
【０００７】
ところで、以上のような制御装置では、乗りかご５１内部の気圧が出発階床の気圧から到着予定階床の気圧までほぼ一定の割合で変化させることが可能であるが、何らかの原因でエレベータ装置の構成部品が故障した場合の対策まで考慮されておらず、また後記するように乗りかご５１の気圧が一定の割合で変化させた場合に前述する構成部品の故障との関係から不都合な面も出てくる。
【０００８】
以下、エレベータ装置の構成部品が故障した場合や乗りかご５１の気圧が一定の割合で変化させた場合に不都合な点について述べる。
【０００９】
（１）  従来の制御装置では、開閉電磁弁５７や流量調整弁６２が設けられているが、これら弁５７、６２が故障したとき、乗りかご５１内への空気の流入出が遮断される場合が考えられ、このような事態になれば、乗りかご５１内の酸素が欠乏する恐れがあり、乗客の安全面に十分配慮する必要がある。
【００１０】
（２）  乗りかご５１内の気圧を制御する制御装置が故障したとき、エレベータ装置は、通常の速度で、かつ、大気圧の状態で乗りかご５１を昇降させると、乗りかご５１内の乗客に対して耳詰まりなどの不快感を与える恐れがある。
【００１１】
（３）  乗りかご５１内の気圧は、戸閉した直後から戸開する直前まで変化しているので、到着階床に到着して戸開した直後、乗客に対して耳詰まりなどの不快感を与える可能性がある。
【００１２】
（４）  また、乗りかご５１内の気圧を制御しながら乗りかご５１を昇降させている途中で最寄階からかご呼び指令が発せられ、乗りかご５１が最寄階で停止するような場合、乗りかご５１内の気圧が最寄階床の大気圧に直ぐに近づかないことから、かごドア５６を戸開した直後に乗客に耳詰まりなどの不快感を与える可能性がある。
【００１３】
（５）  エレベータ装置が乗りかご５１を昇降させているときに急に故障した場合、制御装置としては、かご停止にも拘らず、故障していない時と同様に故障しているエレベータ装置の乗りかご５１内の気圧を制御してしまうことから、前述同様に乗客に耳詰まりなどの不快感を与える可能性が考えられる。
【００１４】
（６）  さらに、メモリなどに予め例えば地下１階から地上５階までの乗りかご５１昇降時に気圧を変化させないとか、或いはエレベータ装置の保守運転作業やエレベータ装置の修理作業などの場合、乗客或いは作業員を乗せた状態で乗りかご５１が低速で昇降される場合が多いが、このような場合に乗りかご５１内に大勢の乗客が乗っていたり、作業員が長時間にわたって作業を行っていると、高層ビルの乗りかご５１の気密度が高い構造となっていることから、乗りかご５１内の酸素が欠乏する恐れがあり、乗客の安全面に十分配慮する必要がある。
【００１５】
また、気圧を制御する乗りかご５１は、従来の乗りかごに比べて気密度を増した構造となっているので、乗りかご５１内の空気の循環が悪く、乗客に不快感を与える可能性がある。
【００１６】
（７）  さらに、給排気ブロワ５２ａ，５２ｂを用いて乗りかご５１内の気圧を制御しているが、例えば乗りかご５１内の気圧を急激に変化させようとすると、給排気ブロワ５２ａ，５２ｂの容量を大きくしなければならず、結果として重量が増大し、価格的にも高価となる問題がある。
【００１８】
本発明は上記事情に鑑みてなされたもので、何らかの構成部品が故障しても乗りかご内の酸素の欠乏を未然に回避するエレベータ装置を提供することにある。
【課題を解決するための手段】
【００２４】
上記課題を解決するために、本発明に係わるエレベータ装置は、エレベータ乗りかごに連通管を介して給排気用ブロワが設けられ、昇降行程に応じて前記給排気用ブロワを回転制御し、当該乗りかご内の気圧を所要の気圧に制御する気圧制御装置と、この気圧制御装置に有線または無線で接続され、相互に信号の授受を行う前記乗りかごを昇降制御するエレベータ主制御装置とが設けられ、
前記気圧制御装置は、前記エレベータ主制御装置との間の授受信号から当該気圧制御装置を除く他の部分の故障と判断した場合、前記給排気用ブロワの回転を停止させる手段と、この給排気用ブロワの回転停止後、前記乗りかごの室内気圧が室外気圧にほぼ等しくなったとき、前記給排気用ブロワを回転制御し当該乗りかごを換気制御する手段とを備えた構成である。
【００２５】
前記気圧制御装置としては、エレベータ主制御装置との間の授受信号から当該気圧制御装置を除く他の部分の故障と判断した場合、給排気用ブロワの回転を停止させるようにすれば、給排気用ブロワを介してかご外部の大気圧を乗りかごに流入させることができる。
【００２６】
また、気圧制御装置は、エレベータ主制御装置との間の授受信号から当該気圧制御装置を除く他の部分の故障と判断した場合、給排気用ブロワの回転を停止させた後、乗りかごの室内気圧が室外気圧にほぼ等しくなると、給排気用ブロワを回転制御し当該乗りかごを換気制御するので、通常の換気が不能になっても給排気用ブロワで換気することが可能である。
【発明の効果】
【００３１】
本発明によれば、何らかの構成部品が故障しても乗りかご内の酸素の欠乏を未然に回避することができるエレベータ装置を提供できる。
【発明を実施するための最良の形態】
【００３３】
以下、本発明の実施の形態について図面を参照して説明する。
【００３４】
（本発明に係るエレベータの基本的な構成例）
図１はエレベータ装置の設置形態の一例を説明する図である。  
同図において１は超・超々高層建物等の高層ビルであって、この高層ビル１の例えば図示左端に昇降路２が形成されている。この昇降路２の図示右側には、地階の乗降ホールＨｂ、１階の乗降ホールＨ００１から１５０階の乗降ホールＨ１５０が設けられている。
【００３５】
昇降路２の上部には機械室３が形成され、この機械室３にはロープ式の巻上機４が設置されている。この巻上機４のシーブに巻装される主索５の一端部側には箱状に形成されたエレベータの乗りかご６が懸架され、当該主索５の他端部側には釣合いおもり７が懸架されている。よって、巻上機４が回転動作すると、主索５を介して乗りかご６が昇降路２内を上昇または下降する構成となっている。
【００３６】
８は乗りかご６の外側上部に設置されるブロワである。なお、ブロワ８は、後記する図２に示すごとく少なくとも２台のブロワ８ａ，８ｂが設置され、その１台は給気用ブロワの機能を有し、他の１台は排気用ブロワの機能を有する。
【００３７】
図２は乗りかご６内の気圧を制御する気圧制御装置１０の基本構成を示す図である。
【００３８】
この気圧制御装置１０は、乗りかご６のかご室内・かご室外の気圧を計測する室内用絶対圧力計１１ａおよび室外用絶対圧力計１１ｂと、これら絶対圧力計１１ａ，１１ｂのうち少なくとも室内用絶対圧力計１１ａで計測される気圧データに基づいて乗りかご６内の気圧を変化させるための制御指令を出力するＣＰＵで構成されるコンピュータ１２と、このコンピュータ１２から出力される制御指令に基づき、給気用ブロワ８ａの回転周波数を制御する給気用インバータ１３ａおよび排気用ブロワ８ｂの回転周波数を制御する排気用インバータ１３ｂとによって構成されている。このコンピュータ１２には各種の設定データを記憶する設定データ記憶部１４が設けられている。
【００３９】
この気圧制御装置１０の制御指令は、給気用ブロワ８ａおよび排気用ブロワ８ｂの運転・停止を含む回転制御を行うための指令内容である。また、気圧制御装置１０の制御指令には、例えば２台のブロワ８ａ，８ｂとも給気用としたり、排気用としたり、或いは一方のブロワだけ給気用または排気用に設定することも可能である。
【００４０】
この給気用ブロワ８ａは、その排気口と乗りかご６内とを連通管１５ａにより接続することにより、昇降路２側から空気を取り込んで乗りかご６内に給気し、一方、排気用ブロワ８ｂは、その給気口と乗りかご６内とを連通管１５ｂにより接続することにより、乗りかご６内の空気をかご外である昇降路２に排気する。なお、各ブロワ８ａの給・排気口はそれぞれブロワ内部で接続され、乗りかご６への接続側とは反対側の口は大気状態にある昇降路２に面している。従って、給排気用ブロワ８ａ，８ｂが回転動作していないとき、乗りかご６内は昇降路２から空気が流入し、大気圧の状態に設定されるようになっている。
【００４１】
次に、コンピュータ１２による各ブロワ８ａ，８ｂの制御について説明する。
【００４２】
コンピュータ１２は、例えば乗りかご６が最上階側から地上階側へ向けて下降する場合、全下降行程の前半時間帯、つまり乗りかご６が未だ最高下降速度に達していない時間帯では、給気用ブロワ８ａのみを運転し、少なくとも室内用絶対圧力計１１ａで計測される気圧データと予め設定データ記憶部１４に記憶される室外気圧データに基づき、乗りかご６の室内気圧が室外気圧よりも上昇するように制御する。そして、最高下降速度付近では、排気用ブロワ８ｂのみの運転に切換え、両圧力計１１ａ，１１ｂの計測気圧データにもとづき、乗りかご６の室内気圧が室外気圧よりも小さくなるように制御する。これによって乗りかご６内の急激な気圧上昇を緩和している。なお、着床階に近づくに従い、排気用ブロワ８ｂのみの運転とするが、回転周波数を徐々に下げていく。
【００４３】
逆に、乗りかご６が地上階側から最上階側に向けて上昇する場合、全上昇行程の前半の時間帯、つまり乗りかご６が未だ最高上昇速度に達していない時間帯では、排気用ブロワ８ｂのみを運転し、少なくとも室内用絶対圧力計１１ａで計測される気圧データと予め設定データ記憶部１４に記憶される室外気圧データに基づき、乗りかご６の室内気圧が室外気圧よりも小さくなるように制御する。そして、最高上昇速度付近では、給気用ブロワ８ａのみの運転に切換え、乗りかご６の室内気圧が室外気圧よりも大きくなるように制御する。これにより、乗りかご６内の急激な気圧の低下を緩和する方向に制御している。
【００４４】
図３は乗りかご昇降時の乗りかご内の時間と気圧との関係を説明する図である。
【００４５】
同図において、１７は乗りかご６内の気圧を変化させないときの乗りかご６内の気圧の変化曲線、１８は以上のようにブロワ８ａ，８ｂを選択的に運転し、かつ、乗りかご６内の気圧を変化させたときの乗りかご６内の気圧の変化曲線である。乗りかご６内の気圧を変化させない場合、乗りかご６内の気圧はほぼＳ字状となるように変化するが、乗りかご６内の気圧を制御した場合には乗りかご６内の気圧はほぼ直線状に変化させることができる。従って、設定データ記憶部１４には、変化曲線１８のごとき直線状に制御するための気圧変化率データないし変化曲線１８のごとき所要の傾きをもった直線状の気圧基準データ、さらには乗りかご６の最上階側と地上階側との間の昇降に際し、ブロワを切換えるためのタイミングデータ等その他所要とする各種のデータが設定されている。さらに、設定データ記憶部１４には変化曲線１８に相当する気圧基準データから所定の気圧許容範囲データ１９（破線）が設定されている。この気圧許容範囲データ１９は、予め実験、過去の経験等に基づき、構成部品の故障時に生じるであろう乗りかご６内の気圧の変化範囲に相当するものである。
【００４６】
そこで、以上のような基本的な構成を有する気圧制御装置１０は、絶対圧力計１１ａで計測される気圧データと設定データ記憶部１４に記憶される気圧変化率データから得られる気圧基準データまたは既に設定されている気圧基準データとを比較し、乗りかご６内の気圧がほぼ直線状に推移するように乗りかご６内の気圧を制御しているが、直線状に推移する途中において、給排気用ブロワ８ａ，８ｂの故障や給排気用ブロワ８ａ，８ｂと乗りかご６とを接続する連通管１５ａ，１５ｂの破損、詰まりなどが発生し、室内用絶対圧力計１１ａで計測される気圧データが予め設定した気圧許容範囲データ１９を越えて外れた場合、コンピュータ１２は給排気用ブロワ８ａ，８ｂを停止制御することにより、乗りかご６内の気圧を大気圧となるように制御する。
【００４７】
従って、以上のような気圧制御装置１０を用いたエレベータ装置によれば、気圧制御装置１０の一構成部分として設置されている給排気用ブロワ８ａ，８ｂの故障や連通管１５ａ，１５ｂの破損、詰まりが生じ、乗りかご６内の気圧が気圧許容範囲データ１９を越えたとき、乗りかご６内の気圧を大気圧にすることにより、乗りかご６内の乗客に対し、耳詰まりなどの不快感を緩和することができる。
【００４８】
また、乗りかご６に対する空気の入出力に給排気用ブロワ８ａ，８ｂを用いているので、これら給排気用ブロワ８ａ，８ｂの故障時に常に大気側の状態に設定することが可能であり、従来の気圧制御方式のように開閉電磁弁５７、流量調節弁６２の故障時に乗りかご６内の空気の流入が遮断されるといった恐れがなくなり、乗りかご内の酸素が欠乏する事態を未然に回避することが可能である。
【００４９】
（第１の実施の形態）
本発明に係わるエレベータ装置は、図１ないし図３に示す基本的な構成を用いているので、その詳しい構成は前述する基本的な構成の説明に譲り、以下、本実施の形態で特に異なる部分について説明する。
【００５０】
この実施の形態は、到着予定階の予定到着時間よりも多少早めに乗りかご６内の気圧を到着予定階の気圧に制御し、到着予定階停止の戸開時に直ちに到着階床の大気圧にする形態例である。
【００５１】
通常、乗りかご昇降時の乗りかご６内の気圧は、図４に示すごとく開始階の気圧Ｐ１と到着予定階の気圧Ｐ２とが分っている場合と開始階の気圧Ｐ１から到着予定階の気圧Ｐ２を算出する場合の２通りがある。前者の場合には、設定データ記憶部１４に開始階の気圧Ｐ１から到着予定階までの各階ごとの気圧Ｐ２に関するデータが設定されている。一方、後者の場合には、乗りかご６の気圧がほぼ直線状に推移させること、また所定の気圧変化率で気圧を変化させること等から、設定データ記憶部１４に予め設定される演算式に従い、開始階の気圧Ｐ１から到着予定階の気圧Ｐ２を算出することが可能である。
【００５２】
そこで、本発明に係わるエレベータ装置の一構成要素である気圧制御装置１０は、開始階の気圧Ｐ１と到着予定階の気圧Ｐ２が分っている場合または開始階の気圧Ｐ１から到着予定階の気圧Ｐ２を算出できる場合、予め知り得る昇降距離と昇降速度とから乗りかご６の昇降開始から到着階の停止・戸開までの時間Ｔ２を算出した後、この時間Ｔ２から数秒手前の時間Ｔ１で到着予定階の気圧Ｐ２となるように気圧変化率を上げるように乗りかご６内の気圧を制御し、乗りかご６が昇降開始から時間Ｔ１に達したとき、乗りかご６内の気圧制御を停止し、到着予定階の大気圧の状態になるようにする。
【００５３】
従って、以上のような実施の形態によれば、乗りかご６が到着予定階床に到着しかごドアが戸開する数秒前に乗りかご６内の気圧が大気圧に近い状態となって停止するので、従来のようにかごドアを戸開する直前まで気圧を制御する場合に比較し、乗りかご６内の気圧が戸開時に到着階床の気圧状態となっているので、乗りかご６の乗客に対して耳詰まりなどの不快感与える程度を大幅に軽減できる。
【００５４】
（第２の実施の形態）
本発明に係わるエレベータ装置の実施形態は、図１ないし図３に示す基本的な構成を用いているので、その詳しい構成は前述する基本的な構成の説明に譲り、以下、本実施の形態で特に異なる部分について説明する。
【００５５】
この実施の形態は、かご昇降時に最寄階からかご呼びがあった場合、そのかご呼び時点から最寄階床の気圧に近づくように制御する形態例である。
【００５６】
このエレベータ装置は、エレベータ主制御装置２０と気圧制御装置１０とからなり、エレベータ主制御装置２０は、乗りかご６を所定の昇降速度で目的階まで昇降する制御を行い、一方、気圧制御装置１０は、乗りかご６の昇降行程時、図５に示す気圧変化曲線（気圧基準データ）１８に従って乗りかご６内の気圧を制御する。
【００５７】
ところで、乗りかご６の昇降途中で、Ｔ３時刻に最寄階からかご呼びがあったとき、エレベータ主制御装置２０はそのかご呼びのあった最寄階にＴ４時刻に到着し停止する。このとき、乗りかご６内の気圧Ｐ５がドア戸開と同時に外気圧Ｐ４に変化する。その結果、乗りかご６の乗客はＰ５−Ｐ４の内外気圧差２１を受け、耳詰まりなどの不快感な状態が生じる。
【００５８】
そこで、本発明に係わるエレベータ装置では、エレベータ主制御装置２０から最寄階のかご呼び情報を受けると、気圧制御装置１０は、かご呼び情報の受信時点Ｔ３での室内用絶対圧力計１１ａの計測値である乗りかご６内の気圧Ｐ３を取り込んで適宜な記憶手段に記憶する一方、この乗りかご６内の気圧Ｐ３とかご呼びが発せられた予め記憶される最寄階床の気圧Ｐ４との気圧差（Ｐ４−Ｐ３）と、かご呼びが発せられた時点Ｔ３と到着予定階に到着するまでの時点Ｔ４までの時間差と、到着するまでの乗りかご６の昇降速度とから、かご呼びが発せられた時点Ｔ３の乗りかご内気圧Ｐ３が到着予定階床の気圧Ｐ４になるように、ほぼ直線に近い状態となるような気圧変化率２２に基づいて乗りかご６内の気圧（復圧）を制御する。
【００５９】
従って、以上のような実施の形態によれば、乗りかご６の昇降途中で最寄階に停止する指示があった場合、乗りかご６内の気圧を直ちに到着予定階床の気圧Ｐ４に近づくように気圧変化率２２を変更して乗りかご６内の気圧を制御するので、乗りかご６内の乗客に与える耳詰まりなどの不快感な状態を緩和しつつ最寄階に停止させることができる。
【００６０】
（第３の実施の形態）
この発明に係わるエレベータ装置の実施形態は、図１ないし図３に示す基本的な構成を用いているので、その詳しい構成は前述する基本的な構成の説明に譲り、以下、本実施の形態で特に異なる部分について説明する。
【００６１】
この実施の形態は、乗りかご６の昇降途中で、最寄階からかご呼びがあり、エレベータ主制御装置２０がそのかご呼びのあった最寄階に乗りかご６を停止させる点で第４の実施の形態と同じである。
【００６２】
この実施の形態は、同じく最寄階からのかご呼びに対し、給排気用ブロワ８ａ，８ｂの回転を停止させる形態例である。
【００６３】
すなわち、このエレベータ装置は、乗りかご６の昇降途中で最寄階からかご呼びが発せられたとき、エレベータ主制御装置２０は、かご呼びのあった最寄階に乗りかご６を停止させるとともに、その最寄階停止指示情報を気圧制御装置１０に送信する。
【００６４】
ここで、気圧制御装置１０は、最寄階停止指示情報を受けたとき、給排気用ブロワ８ａ，８ｂの回転を停止し、乗りかご６内にかご外部の空気を流入させ、乗りかご６内の気圧を最寄階床の大気圧に等しくなるようにする。但し、ここで対象となる最寄階とは昇降途中階から予め定められる階数以内の階を意味する。
【００６５】
従って、以上のような実施の形態によれば、最寄階からかご呼びを受けたとき、気圧制御装置１０は、給排気用ブロワ８ａ，８ｂの回転を停止し、数秒以内に大気圧となり、最寄階に着床する前に最寄階床の大気圧とすることができ、乗りかご６内の乗客に与える耳詰まりなどの不快感な状態を迅速に緩和させつつ最寄階に停止させることができる。
【００６６】
（第４の実施の形態）
この発明に係わるエレベータ装置の実施形態は、図１ないし図３に示す基本的な構成を用いているので、その詳しい構成は前述する基本的な構成の説明に譲り、以下、本実施の形態で特に異なる部分について説明する。
【００６７】
この実施の形態は、乗りかご６の昇降途中で、当該気圧制御装置１０を除くエレベータ装置に何らかの故障が発生した場合の対策例である。
【００６８】
すなわち、気圧制御装置１０は、エレベータ主制御装置２０から随時送られてくる信号の授受が途絶えた場合、或いはエレベータ主制御装置２０から故障情報が送られてきた場合、気圧制御装置１０を除くエレベータ装置に関連する故障と判断し、給排気用ブロワ８ａ，８ｂの回転を停止させ、乗りかご６内の気圧の制御を停止し、給排気用ブロワを介してかご外部の大気圧を前記乗りかごに流入させる構成である。
【００６９】
従って、この実施の形態によれば、乗りかご６の昇降途中で気圧制御装置１０を除くエレベータ装置で何らかの故障が発生した場合、その故障発生時点で乗りかご６が停止する可能性があるので、速やかに乗りかご６内の気圧を大気圧にするので、乗りかご６内の乗客に対する気圧差の影響を極力低減することができる。
【００７０】
（第５の実施の形態）
この発明に係わるエレベータ装置の実施形態は、図１ないし図３に示す基本的な構成を用いているので、その詳しい構成は前述する基本的な構成の説明に譲り、以下、本実施の形態で特に異なる部分について説明する。
【００７１】
この実施の形態は、乗りかご６の昇降途中で、気圧制御装置１０を除くエレベータ装置に何らかの故障が発生した場合のもう１つの対策例である。
【００７２】
気圧制御装置１０は、エレベータ主制御装置２０から随時送られてくる信号の授受が途絶えた場合、或いはエレベータ主制御装置２０から故障情報が送られてきた場合、気圧制御装置１０を除くエレベータ装置に関連する故障と判断し、給排気用ブロワ８ａ，８ｂの回転を停止させ、乗りかご６内の気圧の制御を停止し、乗りかご６内の気圧を大気圧に近づける点において、第６の実施の形態と同様である。
【００７３】
さらに、気圧制御装置１０は、給排気用ブロワ８ａ，８ｂの回転停止後、乗りかご６の室内用絶対圧力計１１ａで計測される気圧と室外用絶対圧力計１１ｂで計測される気圧とを逐次取り込み、かご室内気圧が室外気圧にほぼ等しくなったとき、給排気用ブロワ８ａ，８ｂを回転させ、乗りかご６内に空気を流入させることにより、乗りかご６内を換気する。
【００７４】
なお、乗りかご６内の気圧が大気圧となったか否かの判断は、予め設定データ記憶部１４に各階床の気圧を設定しておけば、室外用絶対気圧計１１ｂで計測される気圧を取り込まずに同様な判断をすることができる。
【００７５】
従って、この実施の形態においても、乗りかご６の昇降途中で気圧制御装置１０を除くエレベータ装置に何らかの故障が発生した場合、給排気用ブロワ８ａ，８ｂを停止させた後、乗りかご６の内外気圧差を監視し、室内気圧が室外気圧にほぼ等しくなったとき、給排気用ブロワ８ａ，８ｂを回転させ、乗りかご６内を換気するので、第６の実施の形態と同様な効果を奏する他、気圧制御装置１０を除くエレベータ装置に関連する故障の場合には乗りかご６の換気が不能となっている場合も予想されるが、給排気用ブロワ８ａ，８ｂの回転による換気によって乗客に安心感を与えることができる。
【００７６】
（第６の実施の形態）
この発明に係わるエレベータ装置の実施形態は、図１ないし図３に示す基本的な構成を用いているので、その詳しい構成は前述する基本的な構成の説明に譲り、以下、本実施の形態で特に異なる部分について説明する。
【００７７】
この実施の形態は、乗りかご６内の気圧を制御しない以下のモード時の気圧制御装置１０による乗りかごの別の制御例である。
【００７８】
エレベータ主制御装置２０は、イ．予め乗りかご６内の気圧を変化させない短い移動距離による昇降を行う場合、ロ．エレベータ装置に関する点検保守等の作業を行う場合、ハ．気圧制御装置１０を除くエレベータ装置に何らかの故障が発生したときの修理作業を行っている場合、気圧を変化させない昇降モード、保守作業モード、エレベータの故障による修理作業モードを気圧制御装置１０に送信する。
【００７９】
そこで、気圧制御装置１０は、前述するモード情報を受け取ると、予め乗りかご６を換気するために定める回転数で給排気用ブロワ８ａ，８ｂを回転させ、気圧制御でなく、専ら乗りかご６の換気制御を行うものである。
【００８０】
従って、以上のような実施の形態によれば、以上のような所定のモード時、乗りかご６内に乗客または作業員が乗って低速の状態で昇降しているが、例えば乗りかご６内に大勢の乗客が乗っていたり、作業員が長時間にわたって作業をしているが、給排気用ブロワ８ａ，８ｂを回転させて乗りかご６内を換気することにより、乗りかご内の酸素が欠乏する事態を未然に回避することができ、乗客の安全にも十分な配慮を払うことができる。
【００８１】
（第７の実施の形態）
この発明に係わるエレベータ装置の実施形態は、図１ないし図３に示す基本的な構成を用いているので、その詳しい構成は前述する基本的な構成の説明に譲り、以下、本実施の形態で特に異なる部分について説明する。
【００８２】
この実施の形態は、低容量化のブロワ８ａ，８ｂを実現するための気圧制御装置１０によるブロワ８ａ，８ｂの制御例である。
【００８３】
一般に、時間とブロワ８ａ，８ｂの周波数との関係は、時間に対するほぼ２乗カーブで周波数を変化させることにより、乗りかご内の気圧を急激に変化させる必要がある。すなわち、周波数を上げ、風量を多くし、乗りかご６内の気圧を急激に変化させるめは、ブロワ８ａ，８ｂの周波数を上げることが条件となる。このことは、従来例で述べたように給排気用ブロワ８ａ，８ｂの容量を大きくしなければならず、高重量、高価格となる。
【００８４】
そこで、本発明に係わるエレベータ装置では、気圧制御装置１０は、図６に示すように予め設定データ記憶部１４に設定されている低い回転数（図示イ）に基づいて給排気用ブロワ８ａ，８ｂを回転させておき、エレベータ制御装置２０から乗りかご６の昇降開始に伴う最初の昇降指令をうけたとき、つまり乗りかご６内の気圧を変化させるための指令を受けたとき、前記設定された低い周波数の回転から給排気用ブロワ８ａ，８ｂの回転周波数を上げていき、乗りかご６内の気圧を制御し、比較的少ない周波数の変化で所要とする気圧に達するようにする。
【００８５】
従って、以上のような実施の形態によれば、乗りかご６内の気圧を急激に上昇させることなく所要の気圧に制御でき、結果として給排気用ブロワ８ａ，８ｂの低容量化を実現でき、気圧制御装置１０の軽量化および低価格化を図ることができる。
【００８６】
その他、本発明の他の実施の形態としては、高層ビルに設置される乗りかご６は、気圧を変化させる観点から、空気の漏れ量を少なくした気密構造形が多くなってきているが、例えば図７に示すように乗りかご６の天井面に空気を循環させるための循環用ブロワ２３を設けるようにしてもよい。
【００８７】
このように循環用ブロワ２３を設ければ、気圧を適切に変化させるために気密度を高めた乗りかご６であっても、当該乗りかご６内の空気を適切に循環させることが可能であり、ひいては乗りかご６内の乗客に快適な乗り心地を提供することができる。
【００８８】
なお、本願発明は、上記実施の形態に限定されるものでなく、その要旨を逸脱しない範囲で種々変形して実施できる。また、各実施の形態は可能な限り組み合わせて実施することが可能であり、その場合には組み合わせによる効果が得られる。さらに、上記各実施の形態には種々の上位，下位段階の発明が含まれており、開示された複数の構成要素の適宜な組み合わせにより種々の発明が抽出され得るものである。例えば問題点を解決するための手段に記載される全構成要件から幾つかの構成要件が省略されうることで発明が抽出された場合には、その抽出された発明を実施する場合には省略部分が周知慣用技術で適宜補われるものである。
【図面の簡単な説明】
【００８９】
【図１】本発明に係るエレベータ装置の一設置形態を説明する図。
【図２】本発明に係るエレベータ装置の基本的な構成を示す図。
【図３】乗りかご内の気圧制御時と非気圧制御時の気圧変化特性図。
【図４】本発明に係るエレベータ装置における第１の実施形態を説明する乗りかご内気圧制御の特性図。
【図５】本発明に係るエレベータ装置における第２の実施形態を説明する昇降途中での最寄階かご呼び時の乗りかご内気圧制御の特性図。
【図６】本発明に係るエレベータ装置における第７の実施形態を説明する給排気用ブロワの制御周波数の特性図。
【図７】本発明に係るエレベータ装置の変形例を説明する図。
【図８】乗りかご内の気圧制御を説明する従来の気圧制御装置を示す構成図。
【図９】乗りかご内の気圧制御を説明する従来の他の気圧制御装置を示す構成図。
【符号の説明】
【００９０】
１…高層ビル、２…昇降路、６…乗りかご、８…ブロワ（８ａ…給気用ブロワ、８ｂ…排気用ブロワ）、１０…気圧制御装置、１１ａ…室内用絶対圧力計、１１ｂ…室外用絶対圧力計、１２…コンピュータ、１３ａ…給気用インバータ、１３ｂ…排気用インバータ、１４…設定データ記憶部、１５ａ，１５ｂ…連通管。
【図１】
0004597938.tif 000002
【図２】
0004597938.tif 000003
【図３】
0004597938.tif 000004
【図４】
0004597938.tif 000005
【図５】
0004597938.tif 000006
【図６】
0004597938.tif 000007
【図７】
0004597938.tif 000008
【図８】
0004597938.tif 000009
【図９】
0004597938.tif 000010